(57)【要約】【課題】ベース枠の位置出しを容易且つ確実に行うことができるリフォームサッシ。【解決手段】既設サッシの内方に上ベース材４０と下ベース材４１と左右両側部の縦ベース材４２とを方形に枠組みしてなるベース枠を固定し、該ベース枠の内方に新設サッシを固定したリフォームサッシにおいて、上記下ベース材４１は既設サッシの網戸レール１２により、上記上ベース材４０は屋外側の網戸案内片７により位置出しして固定したことを特徴とする。【選択図】図１
2008223285.tif 000002
【特許請求の範囲】
【請求項１】
既設サッシの内方に上ベース材と下ベース材と左右両側部の縦ベース材とを方形に枠組みしてなるベース枠を固定し、該ベース枠の内方に新設サッシを固定したリフォームサッシにおいて、
上記下ベース材は既設サッシの網戸レールにより、上記上ベース材は屋外側の網戸案内片により位置出しして固定した
ことを特徴とするリフォームサッシ。
【請求項２】
上記縦ベース材と上ベース材又は下ベース材とには、互いに所定位置に係合する係合部を形成したことを特徴とする、請求項１に記載のリフォームサッシ。
【請求項３】
上記係合部は係合突部と係合溝とによって構成されたことを特徴とする、請求項２に記載のリフォームサッシ。
【請求項４】
上記係合突部は、水平に切断された上記縦ベース材の端部の近傍に係合板を固定し、該係合板に上記ベース板の端部から突出形成されたものであることを特徴とする、請求項３に記載のリフォームサッシ。
【請求項５】
上記下ベース材は既設サッシの網戸レールに対し、位置出しピース部材を介して係合可能に設けられ、上記位置出し用ピース部材は、上記下ベース材又は網戸レールに着脱自在に設けられたことを特徴とする、請求項１〜４のいずれかに記載のリフォームサッシ。
【発明の詳細な説明】
【技術分野】
【０００１】
本発明は、既設サッシを新しいサッシに代えるに際し、既設サッシの内方に固定されて新設サッシを支持するベース枠を備えたリフォームサッシに関する。
【背景技術】
【０００２】
既設サッシを新しいサッシに代える場合、既設サッシを窓開口部から取り外して新しいサッシに付け替えることが考えられるが、既設サッシの取り外し作業には手間や時間や費用がかかるので煩わしい。そのため、既設サッシを窓開口部に取り付けた状態のまま新しいサッシを取り付ける改装サッシが考えられている（特許文献１、２参照）。
【０００３】
これは、既設サッシが内付けサッシの場合、下枠については、その上部屋外側に取付部材を固定し、屋内側には倒れ防止部材を固定し、上記取付部材と倒れ防止部材に新設サッシを固定するように構成されている。この場合、取付部材の上に新設サッシの下枠を支持させ、取付部材の屋外側の垂直面に新設サッシの取付フィンをネジ止めしている。なお、取付フィンは釘打ちフィンとも呼ばれ、新旧に関わらずサッシの四周に面一になるように突設されているもので、窓開口部に木ネジで固定されるように構成されている。
【特許文献１】特開２００４−１２４４３６公報
【特許文献２】特開２００３−８２９４３公報
【発明の開示】
【発明が解決しようとする課題】
【０００４】
しかしながら、取付部材と倒れ防止部材を既設サッシの上下枠及び縦枠に対応してその位置出しされた状態で固定するのは面倒である。上記取付部材と倒れ防止部材のうち、特に縦枠に対応する取付部材と倒れ防止部材は、位置出しが難しい。その下端と上端の両端で位置出しする必要があり、また、位置出しができたとしても、その位置に安定して保持することができなければならない。ネジ止め作業時に動いてしまうのでは意味がないからである。
【０００５】
本発明は、上記問題点を解消し、既設サッシを取り付けた状態のまま中間にベース枠を介在させることで新しいサッシを取り付けることが可能なリフォームサッシにおいて、上記ベース枠の位置出しを容易且つ確実に行うことができるリフォームサッシを提供することをその課題とする。
【課題を解決するための手段】
【０００６】
前記課題を解決するため、請求項１に係る発明は、既設サッシの内方に上ベース材と下ベース材と左右両側部の縦ベース材とを方形に枠組みしてなるベース枠を固定し、該ベース枠の内方に新設サッシを固定したリフォームサッシにおいて、上記下ベース材は既設サッシの網戸レールにより、上記上ベース材は屋外側の網戸案内片により位置出しして固定したことを特徴とする。
【０００７】
請求項２に係る発明は、請求項１において、上記縦ベース材と上ベース材又は下ベース材とには、互いに所定位置に係合する係合部を形成したことを特徴とする。
【０００８】
請求項３に係る発明は、請求項１において、上記係合部は係合突部と係合溝とによって構成されたことを特徴とする。
【０００９】
請求項４に係る発明は、請求項３において、上記係合突部は、水平に切断された上記縦ベース材の端部の近傍に係合板を固定し、該係合板に上記ベース板の端部から突出形成されたものであることを特徴とする。
【００１０】
請求項５に係る発明は、請求項１〜４のいずれかにおいて、上記下ベース材は既設サッシの網戸レールに対し、位置出しピース部材を介して係合可能に設けられ、上記位置出し用ピース部材は、上記下ベース材又は網戸レールに着脱自在に設けられたことを特徴とする。
【発明の効果】
【００１１】
請求項１に係る発明によれば、下ベース材は既設サッシの網戸レールにより、上ベース材は屋外側の網戸案内片により位置出しして固定したので、縦ベース材は上下のベース材に合わせて位置出しをすればよい。したがって、寸法を測ったり、マークをつけたりする必要がなく、ベース枠の位置出しを容易且つ確実に行うことができる。
【００１２】
請求項２に係る発明によれば、縦ベース材を上ベース材又は下ベース材に対して互いの係合部を係合させただけで所定の位置出しを容易に行うことができる。
【００１３】
請求項３に係る発明によれば、縦ベース材と上ベース材又は下ベース材との係合部は係合突部と係合溝とによって構成されているので、係合突部を係合溝に係合させるだけで縦ベース材が位置出しできるので、作業が非常に容易である。
【００１４】
請求項４に係る発明によれば、縦ベース材の位置出しに必要な係合突部を、縦ベース材に固定した係合板の一部を縦ベース材の端部から突出させて構成すればよい。縦ベース材は単に水平に切断しただけでよく、別段の加工を施す必要がない。したがって、位置出しのための作業が非常に簡単である。
【００１５】
請求項５に係る発明によれば、位置出し用ピース部材は、下ベース材又は網戸レールに着脱自在に設けられているので、下ベース材の位置出し作業を簡単に行うことができる。特に、下ベース材に着脱自在に設けた場合は、予め工場出荷時に位置出し用ピース部材を取り付けておき、施工現場の網戸レールの位置に応じて取り付けたまま、あるいは取り外して下ベース材の位置出しができるので、作業を簡単に行うことができる。
【発明を実施するための最良の形態】
【００１６】
図１は本発明に係るリフォームサッシの縦断面図、図２は横断面図であり、図３及び図４はそれぞれ縦断面と横断面の分解図である。
【００１７】
［既設サッシの構成］
上図において符号Ａは既設サッシを示す。この既設サッシＡは建物躯体の窓開口部１に設けられた高窓タイプの内付けサッシで、上枠２、下枠３及び左右の縦枠４とから方形に枠組みされている。上枠２は、上枠本体２ａの屋外側から外方に突出する釘打ちフィン５ａが形成され、屋外側と屋内側の内方には内障子と外障子の案内片６が形成され、屋外側端部には網戸の案内片７、屋内側端部には係合片８が垂下形成されている。そして、上記釘打ちフィン５ａが窓開口部１のまぐさ１１の屋外端面にネジ止め固定されているとともに、上枠本体２ａの屋内側がまぐさ１１の下面からネジ止め固定されている。
【００１８】
下枠３は、下枠本体３ａの屋外側には外方に突出する釘打ちフィン５ｂが形成され、屋外側端部には網戸レール１２、屋外側と屋内側の内方には内障子用内レール１３と外障子用外レール１４が段状に形成され、屋内側端部の上部には外レール１４と同じ高さの立上り片１５が、下部には前倒れ防止用の取付片１６が形成されている。そして、上記釘打ちフィン５ｂが窓開口部１の窓台１０の屋外端面にネジ止め固定されているとともに、取付片１６が窓台１０の上面からネジ止め固定されている。
【００１９】
縦枠４は、縦枠本体４ａの中間部には外方に突出する釘打ちフィン５ｃが形成され、釘打ちフィン５ｃと反対側の内方には内障子と外障子の案内片１７が形成され、屋内側端部には係合片１８が形成されている。そして、上記釘打ちフィン５ｃが窓開口部１の柱９の屋外側端面にネジ止め固定されている。
【００２０】
上記構成により、既設サッシＡの屋外側の端部は面一になるように形成されている。なお、既設サッシＡの屋内側には木製の額縁２０が配設されている。
【００２１】
［新設サッシの構成］
次に、符号Ｂは新設サッシで、この新設サッシＢはリフォーム専用ではなく、半外付けの一般的サッシである。
【００２２】
上枠２１は、上枠本体２１ａの中間部から外方に突出する釘打ちフィン２４ａが形成され、釘打ちフィン２４ａをはさんで屋外側と屋内側の内方には内障子と外障子の案内片２５が形成され、屋外側端部には網戸の案内片２６、屋内側端部には合成樹脂製のアングル材２７が一体に取り付けられている。
【００２３】
下枠２２は、下枠本体２２ａの中間部には外方に突出する釘打ちフィン２４ｂが形成され、釘打ちフィン２４ｂをはさんで屋外側と屋内側の内方には内障子用内レール３０と外障子用外レール３１が形成され、屋外側端部には網戸レール３２、屋内側端部の上部には立上り片３３が、下部には取付片３４が形成されている。立上り片３３の上部には合成樹脂製のアングル材３５が係止固定されている。
【００２４】
縦枠２３は、縦枠本体２３ａの中間部に外方に突出する釘打ちフィン２４ｃが形成され、釘打ちフィン２４ｃと反対側の内方には内障子と外障子の案内片３６が形成されている。縦枠本体２３ａの屋外側と屋内側の端部は断面がＴ字形に形成されている。
枠組みされたとき、釘打ちフィン２４ａ、２４ｂ、２４ｃは新設サッシＢの外周に面一になる。
【００２５】
なお、上下枠２１、２２と縦枠２３の屋内側には合成樹脂製の樹脂ブロック３７ａ、３７ｂ及び３７ｃが固定されるが、これらの取付作業は上下枠２１、２２と縦枠２３の取付作業が終了した後に行う。まず、両側に縦ブロック３７ｃを取り付け、その間に上下ブロック３７ａ、３７ｂを入れ込んでアングル側からネジで止めればよい。
【００２６】
［ベース材］
次に、新設サッシＢはベース枠Ｃを介して既設サッシＡ上に取り付けられる。ベース枠Ｃは上ベース材４０、下ベース材４１及び縦ベース材４２から方形に枠組みされ、それぞれアルミニウムの押出型材からなり、中央の取付壁４３をはさんで平坦部４４、４５を形成してなるもので、取付壁４３は窓開口部１の面方向と平行に形成され、平坦部４４、４５は窓開口部１の面方向と垂直に形成されるものである。屋外側の平坦部４５は取付壁４３の外方端（窓開口部１の周面に近い側の端部）から屋外側に延出されている。屋内側の平坦部４４は取付壁４３の内方端（窓開口部１の周面から遠い側の端部）から屋内側に延出されている。また、下ベース材４１の屋外側の平坦部４５は、さらに屋内側の水平部４５ａと屋外側のわずかに斜めに形成された緩斜面部４５ｂとから構成され、平坦部４５の先端からは当接片４６が取付壁４３と平行に垂下形成されている。取付壁４３と屋内側平坦部４４の底辺部４４ａと屋外側平坦部４５の水平部４５ａとは、他の部分に比べて肉厚に形成されている。また、上記当接片４６の先端は屋内側に屈曲して係止片４７が形成されている。さらに、上記屋内側の平坦部４４は中空に形成され、上ベース材４０と下ベース材４１の屋外側中空部４８には、長手方向に沿って内方に開口する溝４９が形成されている。なお、下ベース材４１の屋外側端部の当接片４６から取付壁４３までの長さは、既設サッシＡの下枠３の網戸レール１２から外レール１４と内レール１３の間の外レール１４寄りの位置（外レール１４上でもよい）までの長さとする。
【００２７】
上ベース材４０、下ベース材４１及び縦ベース材４２の幅寸法はすべて同じに設定され、また上記屋外側の端部から取付壁４３までの寸法及び取付壁４３から屋内側の端部までの寸法も同じ長さに設定されている。
【００２８】
なお、下ベース材４１の幅寸法は既設サッシＡを全部覆うことができるように設定されている。
【００２９】
また、下ベース材４２の水平部４５ａと取付壁４３と屋内側平坦部４４の底辺部４４ａとは、既設サッシＡに載置されて新設サッシＢを支持するから、その荷重に耐えられる強度を有するように肉厚に形成されている。
【００３０】
［リフォームサッシの施工方法］
次に、既設サッシＡに新設サッシＢを取り付けるにあたっては、まず既設サッシＡの内周面に沿ってベース枠Ｃを配設する。その際、図１〜図５に示されるように、下ベース材４１を上記下枠３上に取り付けるときは、屋外側の水平な平坦部４５を外レール１４の上に載置して支持させ、屋内側の水平な平坦部４４を内レール１３と立上り片１５の上に載置して支持させる。そして、屋外側の端部の当接片４６を網戸レール１２に当接させて位置出しをする。このとき、下ベース材４１の取付壁４３は、既設サッシＡの下枠３の外レール１４と内レール１３の間の外レール１４寄りに位置する。位置出し後、屋内側の平坦部４４から長いネジ５０で既設サッシＡとともに窓台１０に一体的にネジ止めする。このとき、ネジ５０は上記平坦部４４の上面部の作業孔（図示せず）から挿通し、頭部が中空部４８の底部に達するまでねじ込むようにするのが好ましい。
【００３１】
次に、上ベース材４０は、屋外側の端部の当接片４６を既設サッシＡの上枠２の網戸案内片７に係合させて位置出しをし、下ベース材４１と同様に、屋内側の平坦部４４から長いネジ５０では既設サッシＡとともにまぐさ１１に一体的にネジ止めする。
【００３２】
さらに、縦ベース材４２は、屋外側の端部を既設サッシＡの縦枠４の屋外側端面に合わせて位置出しをすればよいが、安定的に固定するため、図６及び図７に示されるように、縦ベース材４２の下端と上端に位置出し用の係合板５１を固定して上方と下方に突出させ、これを下ベース材４１及び上ベース材４０の係合溝４９に係合させればよい。
【００３３】
すなわち、係合板５１には２つのネジ穴が形成され、一側には係合溝４９に係合可能な係合部８２が形成されている。７０は係合板５１の位置出し用ノッチである。ノッチ７０は縦ベース材４２の押出成形時に長手方向に沿って形成しておく。縦ベース材４２に係合板５１を固定するときは、係合板５１の端面を端部のノッチ７０に合わせ、また上記２つのネジ穴から通したネジ８１の先端を２つのノッチ７０に合わせて位置出しした後ネジ８１をねじ込む。２つのネジ穴で固定することにより、係合板５１は所定の位置に位置出しされて固定される。上下のベース材４０、４１に縦ベース材４２を取り付けるとき、まず縦ベース材４２を斜めにして下端の係合部７２を下ベース材４１の係合溝４９に係合した後、縦ベース材４２を垂直に立てて上端の係合部７２を上ベース材４０の係合溝４９に係合させれば自動的に位置が決まる。これにより、縦ベース材４２は容易且つ確実に所定の位置に安定的に位置出しされる。その後、屋内側の平坦部４４から長いネジ５０で既設サッシＡとともに柱に一体的にネジ止めすることにより、所定の位置に固定される。なお、係合板５１は縦ベース材４２の上端又は下端の一方にのみ固定して位置出しするようにしてもよい。
【００３４】
上記構成により、上ベース材４０は既設サッシＡの上枠２の網戸案内片７に係合させ、下ベース材４１は既設サッシＡの下枠３の網戸レール１２を基準として、また縦ベース材４２は上ベース材４０と下ベース材４１に係合させることにより、既設サッシＡの内周面に沿って配設されてベース枠Ｃが組み立てられ、取付壁４３は面一に揃えられる。
【００３５】
次に、上記ベース枠Ｃに新設サッシＢを取り付ける場合、まず新設サッシＢを方形に枠組みして窓開口部１のベース枠Ｃに嵌合させ、新設サッシＢの下枠２２を下ベース材４１の屋内側の平坦部４４上に載置する。そして、新設サッシＢの上下枠２１、２２と縦枠２３の中間部の釘打ちフィン２４ａ、２４ｂ、２４ｃを取付壁４３に当接してネジ５２で固定する。また、下枠２２は図５に示されるように、屋内側端部の取付片３４を下ベース材４１の平坦部４４にネジで固定し、上枠２１と縦枠２３は調整材５３を介して上ベース材４０と縦ベース材４２にネジ止めする。これにより、新設サッシＢはベース枠Ｃに固定される。
【００３６】
さらに、新設サッシＢの屋内側に合成樹脂製の長尺の樹脂ブロック３７ａ、３７ｂを固定する。上下の樹脂ブロック３７ａ、３７ｂは上下枠２１、２２のアングル材２７、３５にネジ止め固定し、縦の樹脂ブロック３７ｃも同様とする。これによって各樹脂ブロック３７ａ、３７ｂ、３７ｃはベース材４０、４１、４２の屋内側の端面と面一になるように配置される。
【００３７】
［内外観の化粧処理］
次に、上述の段階では、屋内側と屋外側にはベース枠Ｃや既設サッシＡが見えるので、内観と外観の体裁をよくするため、新設サッシＢの屋外側の外周は上下及び縦の化粧カバー材５４、５５、５６によって隠し処理が施され、また屋内側は上下及び縦の室内額縁５７、５８、５９によって隠し処理が施されている。
【００３８】
化粧カバー材５４、５５、５６はそれぞれ略板状のアルミニウム押出型材からなり、上下及び縦の各ベース材４０、４１、４２にそれぞれ２個ずつ固定された取付アタッチメント６１（図８参照）の先端の突部６２の内側に嵌合片６０を嵌合させることにより取り付けられている。また、新設サッシＢの屋内側は室内合成樹脂製の額縁５７、５８、５９によってカバーされている。
【００３９】
上記構成により、新設サッシＢとベース枠Ｃとの間及びベース枠Ｃと既設サッシＡとの間の部分は室内額縁５７、５８、５９によって覆われ、屋内側から隠蔽される。後は新設サッシＢ内に内障子ａ、外障子ｂと網戸ｃを納めれば完成する。
【００４０】
［作用効果］
上述のように、新設サッシＢを施工するにあたり、既設サッシＡにはベース枠Ｃを取り付け、ベース枠Ｃ内に新設サッシＢを嵌合配置して釘打ちフィン２４ａ、２４ｂ、２４ｃを取付壁４３にビス止め固定すればよいので、手間がかからず、施工が容易である。
【００４１】
しかも、一般にサッシの外周面には釘打ちフィンが設けられているが、これに対応してベース枠Ｃには取付壁４３が設けられているので、ベース枠Ｃには、専用サッシではなく一般サッシであっても取り付けることができるとともに、その取付けは慣れた作業となり、容易迅速に行うことができる。
【００４２】
また、新設サッシＢとベース枠Ｃにおいて最も荷重がかかる下ベース材４１は、既設サッシＡの外レール１４によって支持される構造である。一般にサッシにおいて最も強度を要する部分は障子を支持する外レールと内レールであるから、外レール上に下ベース材４１を支持させるという構造は強度上非常に合理的である。
【００４３】
さらに、下ベース材４１は既設サッシの網戸レール１２により、上ベース材４０は屋外側の網戸案内片７により、いずれも屋外側に設けられた位置出し基準により、さらに縦ベース材４２は上ベース材４０と下ベース材４１に係合させることにより位置出しをすればよい。したがって、寸法を測ったり、マークをつけたりする必要がなく、ベース枠Ｃの位置出しを容易且つ確実に行うことができる。
【００４４】
なお、下ベース材４１の幅寸法は既設サッシＡを全部覆うことができるように設定され、また新設サッシＢの取付壁４３の下端から屋外側に、下ベース材４１の水平部４５ａと緩斜面部４５ｂとが連続して形成され、これらの部分が水切り機能を有するので、新設サッシＢに格別に水切り材を取り付ける必要がない。
【００４５】
また、下ベース材４１の平坦部４４の上面部には係合溝４９が形成されているので、排水溝として利用することができるとともに、縦ベース材４２の位置出しにも利用することができる。
【００４６】
加えて、ベース枠Ｃの屋内側には合成樹脂製の室内額縁５７、５８、５９を設け、上記樹脂ブロック３７ａ、３７ｂ及び３７ｃと室内額縁５７、５８、５９とを一体的に配置されているから、既設サッシＡとベース材４１と新設サッシＢがともに金属製であっても、リフォームサッシを施工することにより全体として断熱性の高いサッシが得られる。したがって、障子を断熱障子にすれば、全体を断熱窓にすることができる。
【００４７】
［その他］
次に、既設サッシＡが半外付けサッシである場合の対応を下枠部分について説明する。なお、上枠、縦枠部分は前述の例と同様、下枠に準じて構成すればよいので、説明は省略する。また、上図と同じ符号は同じ部材を示すものとする。
【００４８】
図９において既設サッシＡは高窓タイプの半外付けサッシで、基本的構成は上述の内付けサッシと同じであるが、主に釘打ちフィンの位置が屋内側に寄っている点と下枠の網戸レール１２がより低い点で異なっている。
【００４９】
新設サッシＢは上述の半外付けサッシと同じである。
【００５０】
また、上下及び側部のベース材およびこれらのベース材によって構成されたベース枠Ｃも上述のものと同じである。但し、下ベース材４１の屋外側端部に形成された当接片４６と係止片４７には位置出しピース部材７１が取り付けられている。
【００５１】
上記既設サッシＡにベース枠Ｃを形成し、さらにその内側に新設サッシＢを嵌合してネジ等で固定する取付手順も上述と同じである。
【００５２】
なお、既設の半外付けサッシの網戸レール１２は内付けサッシのものと比べて低いので、下ベース材４１の当接片４６を直接に網戸レール１２に当接させることはできない。位置出し用のピース部材７１を介して網戸レール１２に当接させればよい。
【００５３】
このように、下ベース材４１の屋外側端部の当接片４６と既設サッシＡの下枠３の網戸レール１２とを位置出し用ピース部材７１を介して係合させることにより位置出し可能であり、ピース部材７１は着脱が可能となっているから、工場出荷時には取り付けておき、不要なとき（ピース部材７１がなくても係合可能なとき）は取り外して使用すればよい。
【００５４】
また、図示しないが、位置出し用のピース部材は当接片４６とは関係なく、下枠３の網戸レール１２に取り付け可能に構成し、位置出し時に網戸レール１２に上記ピース部材を介して当接片４６に当接させる構成であってもよい。
【００５５】
以上のように、上記リフォームサッシ構成によれば、既設サッシＡが内付けサッシであっても半外付けサッシであっても対応することができる。
【００５６】
また、図１０は新設サッシとして面格子付きサッシＢを取り付けた例で、面格子付きサッシＢは屋外側に面格子７７を取り付けるための枠が張り出し、そこからアーム７２が突出しているが、上下部及び側部のいずれのベース材４０、４１、４２等も新設サッシＢの屋外側に干渉することはないので、新設サッシＢが屋外側に張り出していても、その取り付けになんら支障はない。したがって、上記リフォームサッシ構成によれば、面格子付きサッシにも適用することができる。
【００５７】
さらに、図１１は新設サッシとして嵌め殺しサッシＢを取り付けた例で、同じ構成、同じ手順で取り付けることができる。なお、引き違いサッシの取付態様については全て同じような扱いでよい。
【００５８】
また、図１２に示されるように、既設サッシＡの下枠の屋内側には内レール１３と立上り片１５が形成され、その上部に下ベース材４１の屋内側の平坦部４４が載置されるのであるが、内レール１３を外レール１４の高さとあまり変えない設計になっているものがあり、この場合、上記内レール１３と立上り片１５とは高さが異なるので、下ベース材４１の屋内側は高い立上り片１５の上に載置すればよい。
【００５９】
さらに、図１３に示されるように、屋内側の立上り片１５の高さが特別に高いときは、下ベース材４１は外レール１４に対しては高さ調整部材７３を介して載置すればよい。
【００６０】
次に、窓には大きく分けて上述の高窓タイプと掃き出し窓タイプがあるが、これらは基本的構成において大きな違いはない。ただ、掃き出し窓では、下枠が床面と連続的に配設されており、人が出入りするので、下部の室内額縁を踏むことがあり、それに耐えるだけの荷重が必要である。そこで、図１４に示されるように、専用のアルミニウムの芯材７４と樹脂カバー７５からなる掃き出し用室内額縁５８を床面７６と新設サッシＢの下枠２２の樹脂アングル３５の高さ間に取り付けてある。これによれば、室内額縁５８は芯材７４によって補強されているので、十分な強度が確保される。
【図面の簡単な説明】
【００６１】
【図１】本発明に係るリフォームサッシの縦断面図
【図２】上記リフォームサッシの横断面図
【図３】図１の要部の分解図
【図４】図２の要部の分解図
【図５】図１の下枠部分の拡大図
【図６】縦枠の下部の位置出し状態説明図
【図７】縦枠の上部の位置出し状態説明図
【図８】取付アタッチメントの取付態様説明図
【図９】下ベース材の位置出しの他の態様を示す縦断面図
【図１０】面格子サッシの取付態様を示す縦断面図
【図１１】嵌め殺しサッシの取付態様を示す縦断面図
【図１２】下ベース材を立上り片に載置した状態を示す縦断面図
【図１３】下ベース材を高さ調整部材を介して外レールに載置した状態を示す縦断面図
【図１４】掃き出し窓の取付態様を示す下枠部分の縦断面図
【符号の説明】
【００６２】
Ａ    既設サッシ
Ｂ    新設サッシ
Ｃ    ベース枠
７    網戸案内片
１２  網戸レール
４０  上ベース材
４１  下ベース材
４２  縦ベース材
【図１】
2008223285.tif 000003
【図２】
2008223285.tif 000004
【図３】
2008223285.tif 000005
【図４】
2008223285.tif 000006
【図５】
2008223285.tif 000007
【図６】
2008223285.tif 000008
【図７】
2008223285.tif 000009
【図８】
2008223285.tif 000010
【図９】
2008223285.tif 000011
【図１０】
2008223285.tif 000012
【図１１】
2008223285.tif 000013
【図１２】
2008223285.tif 000014
【図１３】
2008223285.tif 000015
【図１４】
2008223285.tif 000016